(57)【要約】      （修正有）【課題】冷凍庫の内容積を拡大することが可能な冷蔵庫を提供する。【解決手段】冷凍室は、左右に並んで配置される製氷室および上段冷凍室と、製氷室と上段冷凍室との間に配置される仕切部材と、を備え、冷気供給部材Ｒは、製氷室に冷気を導入する第１冷気導入路２２ｂと、上段冷凍室に冷気を導入する第２冷気導入路２２ｃと、第２冷気導入路２２ｃに冷気を分配する冷気分配部２２ａを、を備え、冷気分配部２２ａ、および第１冷気導入路２２ｂと第２冷気導入路２２ｃの少なくとも一方は、仕切部材の前後方向の投影上に位置している。【選択図】図４
2019132467.tif 000002
【特許請求の範囲】
【請求項１】
冷蔵室および冷凍室を形成する断熱箱体と、
冷気を生成する冷凍サイクルと、
前記冷気を送風ファンによって前記冷凍室に供給する冷気供給路と、を備えた冷蔵庫において、
前記冷凍室は、左右に並んで配置される第１冷凍室および第２冷凍室と、前記第１冷凍室と前記第２冷凍室との間に配置される仕切部材と、を備え、
前記冷気供給路は、前記第１冷凍室に冷気を導入する第１冷気導入路と、前記第２冷凍室に冷気を導入する第２冷気導入路と、前記第１冷気導入路と前記第２冷気導入路に冷気を分配する冷気分配部と、を備え、
前記冷気分配部、および前記第１冷気導入路と前記第２冷気導入路の少なくとも一方は、前記仕切部材の前後方向の投影上に位置していることを特徴とする冷蔵庫。
【請求項２】
前記冷気分配部は、前記送風ファンの鉛直方向上方の投影上に位置していることを特徴とする請求項１に記載の冷蔵庫。
【請求項３】
前記送風ファンを収容するファンカバーを備え、
前記ファンカバーは、前記冷凍サイクルから生成された水を排出する水抜孔を有することを特徴とする請求項１または請求項２に記載の冷蔵庫。
【請求項４】
前記冷凍室は、当該冷凍室の下方に設けられる下部冷凍室を備え、
前記水抜孔は、前記下部冷凍室に収納されるケースの後端よりも後方に位置していることを特徴とする請求項３に記載の冷蔵庫。
【請求項５】
前記冷凍サイクルは、前記冷蔵室を冷却する冷蔵室冷却器と、前記冷凍室を冷却する冷凍室冷却器と、を備え、
前記冷蔵室と前記冷凍室とが断熱仕切部材で仕切られ、
前記断熱仕切部材には、前記冷蔵室冷却器からの排水を通流させる樋部が設けられていることを特徴とする請求項１から請求項４のいずれか１項に記載の冷蔵庫。
【発明の詳細な説明】
【技術分野】
【０００１】
本発明は、冷蔵庫に関する。
【背景技術】
【０００２】
特許文献１には、上部の冷凍室の背面に、冷却器によって生成された冷気を吐出させる上段冷凍室送風ダクトが記載されている。
【先行技術文献】
【特許文献】
【０００３】
【特許文献１】特許第６１６９７６６号公報（図５）
【発明の概要】
【発明が解決しようとする課題】
【０００４】
しかしながら、前記した特許文献１には、収納容器の後方において上段冷凍室送風ダクトが手前側に向けて突出した構造であるため、冷凍室の内容積の拡大を図ることが困難であった。
【０００５】
本発明は、冷凍庫の内容積を拡大することが可能な冷蔵庫を提供することを目的とする。
【課題を解決するための手段】
【０００６】
本発明は、冷蔵室および冷凍室を形成する断熱箱体と、冷気を生成する冷凍サイクルと、前記冷気を送風ファンによって前記冷凍室に供給する冷気供給路と、を備えた冷蔵庫において、前記冷凍室は、左右に並んで配置される第１冷凍室および第２冷凍室と、前記第１冷凍室と前記第２冷凍室との間に配置される仕切部材と、を備え、前記冷気供給路は、前記第１冷凍室に冷気を導入する第１冷気導入路と、前記第２冷凍室に冷気を導入する第２冷気導入路と、前記第１冷気導入路と前記第２冷気導入路に冷気を分配する冷気分配部と、を備え、前記冷気分配部、および前記第１冷気導入路と前記第２冷気導入路の少なくとも一方は、前記仕切部材の前後方向の投影上に位置していることを特徴とする。
【発明の効果】
【０００７】
本発明によれば、冷凍庫の内容積を拡大することが可能な冷蔵庫を提供できる。
【図面の簡単な説明】
【０００８】
【図１】本実施形態に係る冷蔵庫を示す外観斜視図である。
【図２】冷凍室の内部を示す正面図である。
【図３】図２のＡ−Ａ線断面図である。
【図４】冷気供給部材を示す分解斜視図である。
【図５】製氷室と上段冷凍室に冷気を分配する冷気導入部材を示す上面図である。
【図６】冷気導入部材の組立後の状態を示す斜視図である。
【図７】冷気供給部材を示し、（ａ）は正面図、（ｂ）は（ａ）のＢ−Ｂ線断面図、（ｃ）は（ａ）のＣ−Ｃ線断面図である。
【図８】上段冷凍室への冷気の吐出口を示す斜視図である。
【図９】冷蔵室と冷凍室に冷却器を備えた冷蔵庫を示す構成図を模式図である。
【発明を実施するための形態】
【０００９】
以下、本発明を実施するための形態（本実施形態）を説明する。ただし、本実施形態は、以下の内容に何ら制限されず、本発明の要旨を損なわない範囲内で任意に変更して実施可能である。また、以下では、図１に示す方向を基準として説明する。
【００１０】
図１は、本実施形態に係る冷蔵庫を示す外観斜視図である。
図１に示すように、冷蔵庫１００は、冷蔵庫本体１と、冷蔵庫本体１内を冷却する冷気を生成する冷凍サイクルＦ（図３参照）と、生成された冷気を冷凍室に供給する冷気供給部材（冷気供給路）Ｒ（図３参照）と、を備えて構成されている。
【００１１】
冷蔵庫１００は、冷蔵庫本体１の正面に、冷蔵室左扉２と、冷蔵室右扉３と、製氷室扉４と、冷凍室上段扉５と、冷凍室下段扉６と、野菜室扉７と、を備えている。
【００１２】
冷蔵室左扉２および冷蔵室右扉３は観音開き可能に構成され、これらと冷蔵庫本体１とにより形成される空間に、冷蔵室３０が形成されている。
【００１３】
また、製氷室扉４、冷凍室上段扉５、冷凍室下段扉６、および野菜室扉７は手前方向に引き出し可能に構成されている。そして、これらと冷蔵庫本体１とにより形成される空間に、それぞれ、製氷室（第１冷凍室、冷凍室）４０、上段冷凍室（第２冷凍室、冷凍室）５０、下段冷凍室６０および野菜室７０が形成されている。
【００１４】
冷蔵室左扉２、冷蔵室右扉３、製氷室扉４、冷凍室上段扉５、冷凍室下段扉６および野菜室扉７は、断熱扉である。各扉２〜７は、例えば、表面に設けられた外板と、外板の周縁に設けられた扉枠と、扉枠の裏面（背面）に設けられた内板と、外板と扉枠と内板とで形成された空間に発泡液を充填することで形成された発泡断熱材と、を備えて構成されている。
【００１５】
発泡断熱材は、硬質ウレタンフォームで形成されている。この硬質ウレタンフォームは、各扉２〜７の内側の空間内に注入したウレタンフォーム原液（発泡断熱材の原料液）が発泡した後、硬化して形成されるものである。ちなみに、ウレタンフォーム原液としては、例えば、ポリエーテルポリオールに、シクロペンタン、水などの発泡剤、さらには触媒、整泡剤などの助剤をプレミックスした液と、イソシアネート液とを混合した液体が挙げられる。
【００１６】
冷蔵庫本体１は、内箱１１（図２、図３参照）と外箱１２とを組み合わせたものであり、その間に断熱部材や真空断熱材が挟まれ、断熱箱体を構成している。外箱１２は、薄い鋼板を門型に折り曲げて形成された天板１ａおよび左右の側板１ｂ，１ｃ（側板１ｃは、図２参照）と、別部材で構成された背板（不図示）と、別部材で構成された底板（不図示）と、によって構成されている。
【００１７】
また、真空断熱材は、天板１ａの裏面（内壁面）、側板１ｂ，１ｃの裏面（内壁面）、各扉２〜７の裏面（内壁面）に設けられている。真空断熱材は、その材質は特に限定されないが、一例を挙げると、多孔質構造のグラスウール等の芯材をラミネートフィルムで真空パックして内部を減圧して封止した断熱材から成る。気体熱伝導率が略ゼロであるため、優れた断熱性能を有している。また、真空断熱材は、平板状に形成され、天板１ａ、側板１ｂ，１ｃ、各扉２〜７の裏面側に接着固定されている。
【００１８】
図２は、冷凍室の内部を示す正面図である。なお、図２は、冷凍室（製氷室４０、上段冷凍室５０および下段冷凍室６０）のみを示し、製氷室扉４、冷凍室上段扉５および冷凍室下段扉６を取り外した状態である。また、図２は、下段冷凍室６０に収納される下段収納容器６１、中段収納容器６２および上段収納容器６３を図示し、製氷室４０と上段冷凍室５０の各収納容器の図示を省略している。
【００１９】
図２に示すように、冷蔵庫本体１は、製氷室４０および上段冷凍室５０と、下段冷凍室６０との間に、左右方向（幅方向）に延在して側板１ｂ，１ｃに連結される枠体１３を備えている。また、冷蔵庫本体１は、製氷室４０および上段冷凍室５０と、冷蔵室３０（図１参照）との間に、左右方向（幅方向）に延在して側板１ｂ，１ｃと連結される枠体１４を備えている。また、冷蔵庫本体１は、製氷室４０と上段冷凍室５０との間に、鉛直方向（上下方向）に延在する枠体１５を備えている。また、枠体１５は、枠体１３と枠体１４との間に位置している。また、冷蔵庫本体１は、下段冷凍室６０と野菜室７０（図１参照）との間に、左右方向（幅方向）に延在して側板１ｂ，１ｃに連結される枠体１９を備えている。
【００２０】
製氷室４０と上段冷凍室５０は、左右に並んで配置されている。また、製氷室４０の容積は、上段冷凍室５０の容器よりも小さく構成されている。
【００２１】
製氷室４０には、製氷室扉４を前後方向にスライド可能に支持するレール部材４１ａ，４１ｂが設けられている。レール部材４１ａは、内箱１１の左側の側面下部に設けられている。レール部材４１ｂは、製氷室４０の右側下部に設けられている。
【００２２】
上段冷凍室５０には、冷凍室上段扉５を前後方向にスライド可能に支持するレール部材５１ａ，５１ｂが設けられている。レール部材５１ａは、上段冷凍室５０の左側下部に設けられている。レール部材５１ｂは、内箱１１の右側の側面下部に設けられている。
【００２３】
下段冷凍室６０には、下段収納容器６１、中段収納容器６２および上段収納容器６３が収納される。下段収納容器６１は、冷凍室下段扉６（図１参照）の左右両側から後方に延びるアーム部（不図示）に保持される。冷蔵庫本体１は、下段収納容器６１をスライド可能にするレール部材６１ａ，６１ｂが内箱１１の左右側面に設けられている。また、冷蔵庫本体１は、レール部材６１ａ，６１ｂの手前側に、下段収納容器６１のスライド動作を円滑にするためのローラ６１ｃ，６１ｄが回転自在に支持されている。
【００２４】
下段冷凍室６０には、中段収納容器６２をスライド可能に支持するレール部材６２ａ，６２ｂが内箱１１の左右側面に設けられている。また、下段冷凍室６０には、上段収納容器６３をスライド可能に支持するレール部材６３ａ，６３ｂが内箱１１の左右側面に設けられている。
【００２５】
図３は、図２のＡ−Ａ線断面図である。
図３に示すように、製氷室４０と上段冷凍室５０（図２参照）との間には、仕切部材（縦仕切部材）１６が設けられている。この仕切部材１６は、前後方向に沿って形成され、かつ、枠体１５と前後方向において重なる位置に形成されている。
【００２６】
仕切部材１６は、枠体１５の背面の下部から後方に向けて直線状に延びている。また、仕切部材１６は、前記レール部材４１ｂ，５１ａ（図２参照）が一体に形成されたレール支持部１６ａと、レール支持部１６ａから上方に向けて延びる連結部１６ｂ，１６ｃ，１６ｄと、を有して構成されている。なお、仕切部材１６は、レール支持部１６ａと連結部１６ｂ，１６ｃ，１６ｄが合成樹脂によって一体に形成されている。
【００２７】
連結部１６ｂ，１６ｃは、冷蔵室３０（図１参照）と冷凍室（製氷室４０、上段冷凍室５０）とを仕切る断熱仕切部材１７の下面に固定されている。なお、連結部１６ｄは、後記する冷気供給部材Ｒの第２冷気導入路２２ｃの下面に固定されている。なお、本実施形態では、連結部１６ｂと連結部１６ｃとの間、連結部１６ｃと連結部１６ｄとの間、連結部１６ｄと冷気供給部材Ｒとの間が、空間ｓ１，ｓ２，ｓ３を介して製氷室４０と上段冷凍室５０とを連通している。しかし、製氷室４０と上段冷凍室５０とが連通せずに、壁で仕切られる構造であってもよい。
【００２８】
また、製氷室４０および上段冷凍室５０と下段冷凍室６０との間は、空間Ｓ４を介して連通している。
【００２９】
下段冷凍室６０に収納される下段収納容器６１は、前端から後端まで延びる大容量のものである。中段収納容器６２は、下段収納容器６１よりも前後方向の奥行きが短くかつ薄型に形成されている。上段収納容器６３は、中段収納容器６２よりも前後方向の奥行きが長くかつ薄型に形成されている。
【００３０】
冷凍サイクルＦは、圧縮機（図示せず）、凝縮器（図示せず）、キャピラリチューブ（減圧手段）８および冷却器（エバポレータ、蒸発器）９を含んで構成されている。冷却器９は、下段冷凍室６０の略背部に設けられた冷却器収納室９ｓに収納されている。なお、図示しない圧縮機は、断熱箱体の背面側の下部に設けられた機械室Ｑ（図１参照）に設置されている。機械室Ｑは、断熱箱体の外側に形成されている。
【００３１】
冷却器９は、銅製のフィン９ａを厚み方向（左右方向）に微小間隔で並べた積層体を上下方向に５段並べた積層体群と、この積層体群の各積層体を貫通する冷媒管９ｂと、を備えて構成されている。
【００３２】
また、冷却器９の下方には、除霜ヒータＨが設けられている。除霜ヒータＨによって除霜時に発生したドレン水は、樋（とい）９ｃに一旦落下し、ドレン孔９ｄを介して圧縮機（不図示）の上部に設けた蒸発皿（不図示）に溜められる。
【００３３】
また、冷却器９の上方には、送風ファン１８（プロペラファン、軸流ファン）が設けられている。この送風ファン１８は、冷却器９で生成された冷気（低温の空気）を後方から吸い込んで前方に向けて吐出させる。送風ファン１８にはファンカバー２１が取り付けられており、送風ファン１８から吐出された冷気を、上下左右方向に拡散させて、製氷室４０、上段冷凍室５０、下段冷凍室６０などに供給するようになっている。
【００３４】
また、送風ファン１８の鉛直方向（上下方向）の下方には、下段収納容器６１の後端６１ｅが位置している。また、下段収納容器６１の上端６１ｆよりも冷却器９の上端９ｆが下方に位置している。また、製氷室４０および上段冷凍室５０よりも下方に、送風ファン１８および冷却器９が収められている。
【００３５】
図４は、冷気供給部材を示す分解斜視図である。
図４に示すように、冷気供給部材Ｒは、送風ファン１８が取り付けられるファンベース（ベース部材）２０と、ファンカバー２１と、冷気導入部材２２と、が組み合わされて構成されている。
【００３６】
ファンベース２０は、略五角形状（略ベース型）に形成された平坦状の基部２０ｔを備えている。また、ファンベース２０は、送風ファン１８を基部２０ｔに固定するファン固定部２０ａと、ファンカバー２１を基部２０ｔに係止させるカバー係止部２０ｄと、を備えている。また、ファンベース２０は、冷凍庫内の冷気を取り込む取込口２０ｇを備えている。
【００３７】
また、ファンベース２０は、内箱１１（図２参照）の内壁に固定される。また、ファンベース２０の背面側（裏側）には、冷却器９（冷凍室冷却器）が配置される。換言すると、冷却器９は、内箱１１と外箱１２との間に形成された冷却器収納室９ｓに収納される。
【００３８】
ファン固定部２０ａは、送風ファン１８を係止して固定する係止爪２０ｂ，２０ｂ，２０ｃ，２０ｃを有している。送風ファン１８は、羽根１８ａと、この羽根１８ａの中心を回転自在に支持する外形が四角形状のフレーム１８ｂと、を有して構成されている。これら係止爪２０ｂ，２０ｂ，２０ｃ，２０ｃによって、送風ファン１８のフレーム１８ｂが係止されている。
【００３９】
カバー係止部２０ｄは、ファンカバー２１を位置決めする位置決めリブ２０ｅと、ファンカバー２１と係合してファンカバー２１を保持する保持部２０ｆと、を備えている。位置決めリブ２０ｅは、基部２０ｔから前方に突出して形成された複数のリブ２０ｅ１，２０ｅ２，２０ｅ３，２０ｅ４によって構成されている。
【００４０】
リブ２０ｅ１は、正面視において送風ファン１８の左側方に位置するとともに、鉛直方向に沿って延びて形成されている。リブ２０ｅ２は、リブ２０ｅ１に対して隙間ｓ１１を空けて形成され、鉛直方向に沿って水平方向（右方向）に延びてＬ字状に形成されている。リブ２０ｅ３は、リブ２０ｅ２に対して隙間ｓ１２を空けて形成され、水平方向に延びて直線状に形成されている。リブ２０ｅ４は、リブ２０ｅ３に対して隙間ｓ１３を空けて形成され、水平方向に沿って基部２０ｔまで延びて形成されている。
【００４１】
保持部２０ｆは、リブ２０ｅ１と左右方向において重ならない位置に形成された爪部２０ｆ１と、それぞれの隙間ｓ１１，ｓ１２，ｓ１３に形成される爪部２０ｆ２，２０ｆ３，２０ｆ４と、を有している。また、爪部２０ｆ２は、リブ２０ｅ１とリブ２０ｅ２との間において外側に離間して配置されている。爪部２０ｆ３は、リブ２０ｅ２とリブ２０ｅ３との間において外側に離間して配置されている。爪部２０ｆ４は、リブ２０ｅ３とリブ２０ｅ４との間において外側に離間して配置されている。
【００４２】
取込口２０ｇは、冷気の戻り口であって、格子状に形成され、基部２０ｔの下端に形成されている。また、取込口２０ｇは、保持部２０ｆの下方に位置するとともに、基部２０ｔに対して幅方向（左右方向）に細長く形成されている。
【００４３】
ファンカバー２１は、ファンベース２０から前方に突出して形成され、送風ファン１８と対向する位置に正面部２１ａが形成されている。この正面部２１ａの裏面には、送風ファン１８から吐出された冷気が当たるようになっている。また、正面部２１ａは、左右方向（幅方向）の中央に、送風ファン１８と対向する円形の凹部２１ｂが形成されている。この凹部２１ｂは、後方に向けて突出するように（凹面が前方に向くように）形成されている（図３参照）。この凹部２１ｂを形成することで、送風ファン１８から吐出された冷気を径方向外側に向けて円滑に向きを変えることができ、送風効率が損なわれるのを抑えることができる。
【００４４】
また、正面部２１ａの外周縁部からファンベース２０に向けて延びる外周部２１ｃが形成されている。なお、外周部２１ｃの長さは、ファンカバー２１をファンベース２０に取り付けたときに、送風ファン１８と凹部２１ｂとの間に所定の隙間ｓ２０（図３参照）が形成できる程度である。また、所定の隙間ｓ２０とは、送風ファン１８からの冷気を径方向外側に向けて吐出させることができる距離である。
【００４５】
また、正面部２１ａは、凹部２１ｂの上方に矩形状の切欠部２１ｄが上向きに開口するように形成されている。また、正面部２１ａには、冷気が吐出される複数の吐出口２１ｅ１，２１ｅ２，２１ｆ，２１ｇ，２１ｇ，２１ｈ，２１ｉ，２１ｉが形成されている。吐出口２１ｅ１，２１ｅ２は、互いに同じ高さ位置である。吐出口２１ｆ，２１ｇ，２１ｇは、互いに同じ高さ位置である。吐出口２１ｈ，２１ｉ，２１ｉは、互いに同じ高さ位置である。
【００４６】
冷気導入部材２２は、製氷室４０（図２参照）と上段冷凍室５０（図２参照）とに冷気を分配する冷気分配部２２ａを備えている。また、冷気導入部材２２は、製氷室４０（図２参照）に冷気を導入する第１冷気導入路２２ｂと、上段冷凍室５０（図２参照）に冷気を導入する第２冷気導入路２２ｃと、を備えている。
【００４７】
冷気分配部２２ａは、前記切欠部２１ｄと接続される矩形状の筒体２２ａ１と、筒体２２ａ１の上端に製氷室４０と上段冷凍室５０とに冷気の向きを変えて分配する風向板２２ａ２（冷気分配量設定板）とを有している。
【００４８】
第１冷気導入路２２ｂは、筒体２２ａ１の上端から左側方（製氷室４０側）に向けて延び、そして前方に向けて延びる冷気案内路２２ｂ１を有している。この冷気案内路２２ｂ１は、先端で二又に分岐し、幅広形状の風路２２ｂ２と、風路２２ｂ２よりも幅狭の風路２２ｂ３と、を有している。また、風路２２ｂ２の先端は、風路２２ｂ３の先端よりも高い位置に設定されている。また、風路２２ｂ２には、該風路２２ｂ２の先端よりも低く設定された風路２２ｂ４が分岐して形成されている。
【００４９】
このように、風路２２ｂ２を構成することで、冷気が製氷室４０の上端から前方に向けて吐出される。また、風路２２ｂ３，２２ｂ４によって、冷気が風路２２ｂ２よりも低い位置から製氷室４０に向けて吐出される。
【００５０】
第２冷気導入路２２ｃは、筒体２２ａ１の上端から前方（仕切部材１６（図３参照））に沿って延びる冷気案内路２２ｃ１を有している。この冷気案内路２２ｃ１の風路幅は、仕切部材１６の幅とほぼ同じに形成されている。また、冷気案内路２２ｃ１には、上段冷凍室５０（図２参照）に対向する面に切欠き２２ｃ２が形成されている。すなわち、冷気案内路２２ｃ１は、該冷気案内路２２ｃ１の先端に冷気の流れを遮断する側壁２２ｃ３と、製氷室４０（図２参照）側への冷気の流れを遮断する側壁２２ｃ４と、が形成されている。このように、切欠き２２ｃ２によって、冷気案内路２２ｃ１の上段冷凍室５０側の側壁が他の側壁２２ｃ３，２２ｃ４よりも低く形成されているので、冷気案内路２２ｃ１に導入された（分配された）冷気が、切欠き２２ｃ２を介して上段冷凍室５０（図２参照）に向けて吐出される。
【００５１】
図５は、製氷室と上段冷凍室に冷気を分配する冷気導入部材を示す上面図である。
図５に示すように、冷気導入部材２２は、第１冷気導入路２２ｂの流路幅Ｗ１が、第２冷気導入路２２ｃの流路幅Ｗ２よりも広く形成されている。このように、第１冷気導入路２２ｂの流路幅Ｗ１を広くすることで、製氷室４０への冷気の導入量を増やすことができる。なお、流路幅Ｗ１，Ｗ２の比率を変えることで、製氷室４０と上段冷凍室５０への冷気の分配量を容易に調整することができる。また、風向板２２ａ２の形状を変更することで、製氷室４０と上段冷凍室５０への冷気の分配量を調整することができる。
【００５２】
冷気分配部２２ａは、上面視（平面視）において、風向板２２ａ２が筒体２２ａ１の開口の略半分を覆い隠すように形成されている。風向板２２ａ２は、板材２２ａ３，２２ａ４を折り曲げて形成したものである。板材２２ａ３は、第１冷気導入路２２ｂに向けて上昇するように傾斜して配置されている。板材２２ａ４は、手前側に向けて上昇するように傾斜して配置されている。板材２２ａ３によって、冷気が第１冷気導入路２２ｂに向けて案内され、板材２２ａ４によって、冷気が第２冷気導入路２２ｃに向けて案内される。
【００５３】
図６は、冷気導入部材の組立後の状態を示す斜視図である。
図６に示すように、ファンカバー２１は、ファンベース２０に、送風ファン１８を覆うように取り付けられる。このとき、ファンカバー２１の縁部（不図示）が、リブ２０ｅ１，２０ｅ２，２０ｅ３，２０ｅ４（図４参照）と爪部２０ｆ１，２０ｆ２，２０ｆ３，２０ｆ４（図４参照）とに挟まれてファンベース２０に係止される。なお、図示していないが、ファンカバー２１は、リブ２０ｅ１，２０ｅ２，２０ｅ３，２０ｅ４と爪部２０ｆ１，２０ｆ２，２０ｆ３，２０ｆ４が配置される部分を除いて、スポンジ状のパッキンを介して、ファンベース２０に固定される。また、ファンベース２０の裏面側の外周縁部は、同様のパッキンを介して、内箱１１（図３参照）に固定される。
【００５４】
そして、冷気導入部材２２がファンカバー２１の上部に形成された切欠部２１ｄに嵌め合わされ、図６に示す状態に至る。また、冷気導入部材２２の上端は、断熱仕切部材１７（図３参照）の下面に当接するようにして取り付けられる。
【００５５】
図７は、冷気供給部材を示し、（ａ）は正面図、（ｂ）は（ａ）のＢ−Ｂ線断面図、（ｃ）は（ａ）のＣ−Ｃ線断面図である。
図７（ａ）に示すように、ファンカバー２１は、ファンベース２０よりも平面視における面積が小さく形成されている。また、ファンカバー２１の下端縁部２１ｍは、爪部２０ｆ３，２０ｆ４によってファンベース２０に固定されている。ファンカバー２１の左側縁部２１ｎは、爪部２０ｆ１，２０ｆ２によってファンベース２０に固定されている。
【００５６】
また、ファンカバー２１の正面部２１ａの上端縁部は、凹部２１ｂを挟んで左右対称な形状ではなく、凹部２１ｂの右側に上端縁部２１ｐが形成され、左側に上端縁部２１ｑが形成されている。上端縁部２１ｐは、凹部２１ｂの上方から右方向に下るように傾斜した後に湾曲しながら下方に向けて延びるように形成されている。上端縁部２１ｑは、凹部２１ｂの中心と略同じ高さにおいて山型、かつ、上向きに凸形状となるように湾曲して形成されている。また、上端縁部２１ｑは、左側の吐出口２１ｅ１の上方を覆うように山型に形成されている。また、ファンカバー２１は、上端縁部２１ｑの右端（凹部２１ｂ側の端部）から上方の筒体２２ａ１に向けて延びるように形成されている。
【００５７】
また、冷気分配部２２ａは、送風ファン１８の鉛直方向上方の投影上に位置している。送風ファン１８は、正面視において時計回り方向Ｗ１０に回転する。この場合、送風ファン１８と冷気分配部２２ａとの位置関係は、冷気分配部２２ａが送風ファン１８に対して左寄りに配置されている。これにより、送風ファン１８からの冷気が円滑に冷気分配部２２ａに向けて導入され、送風効率が向上する。
【００５８】
また、送風ファン１８からの冷気は、上端縁部２１ｑを含む外周部２１ｃに当たることで、吐出口２１ｅ１から冷気が吐出される。また、冷気分配部２２ａに向けて吐出される冷気よりも遅れて吐出された冷気は、上端縁部２１ｐを含む外周部２１ｃに当たり、吐出口２１ｅ２から吐出される。また、吐出口２１ｅ１，２１ｅ２において吐出されなかった冷気は、吐出口２１ｅ１，２１ｅ２の下方の吐出口２１ｆ，２１ｇ，２１ｇ，２１ｈ，２１ｉ，２１ｉから適宜吐出される。
【００５９】
吐出口２１ｅ１，２１ｅ２から吐出された冷気は、上段収納容器６３（図２参照）に吐出される。吐出口２１ｆ，２１ｇ，２１ｇから吐出された冷気は、中段収納容器６２（図２参照）に吐出される。吐出口２１ｈ，２１ｉ，２１ｉから突出された冷気は、下段収納容器６１（図２参照）に吐出される。
【００６０】
図７（ｂ）に示すように、ファンカバー２１は、爪部２０ｆ３，２０ｆ４などを介してファンベース２０に取り付けられている。ファンカバー２１がファンベース２０に取り付けられることで、ファンカバー２１とファンベース２０との間に空間が形成される。ところで、この空間において霜が発生して、霜が溶けて水が発生することが想定されるので、このような水も排出する必要がある。
【００６１】
そこで、本実施形態では、ファンカバー２１に水抜孔２１ｓ，２１ｓが形成されている。この水抜孔２１ｓは、爪部２０ｆ３，２０ｆ４と対向する位置に形成されている。図７（ｂ）は、ファンカバー２１が爪部２０ｆ３，２０ｆ４によってファンベース２０に係止されている状態をファンカバー２１の内側から見たものである。このように、ファンカバー２１の縁部の底面２１ｔには、水抜孔（切欠き）２１ｓ，２１ｓが形成されている。水抜孔２１ｓは、ファンカバー２１がファンベース２０に取り付けられた状態で、爪部２０ｆ３，２０ｆ４の基端の左右両側に上下方向に貫通するように構成されている。
【００６２】
図７（ｃ）に示すように、ファンカバー２１の正面部２１ａは、凹部２１ｂ（図７（ａ）参照）が形成される面の下方にファンベース２０に近づく方向に傾斜する傾斜面部２１ａ１が形成されている。これにより、ファンカバー２１とファンベース２０との距離が下方に向けて短くなるように形成されている。
【００６３】
また、ファンカバー２１の底面２１ｔは、爪部２０ｆ４と対向する位置において、ファンベース２０に接触しないように切り欠くことで水抜孔２１ｓが形成されている。また、底面２１ｔには、爪部２０ｆ４の鉤状部が嵌る段差部２１ｒが形成されている。図７（ｃ）に示す形状にすることで、ファンカバー２１内で発生したドレン水を水抜孔２１ｓを介してファンカバー２１の外側に排出できる。
【００６４】
また、ファンベース２０の表面には、水抜孔２１ｓの下方に、水抜孔２１ｓから排出された水を案内する樋部２０ｈ（図７（ａ）参照）が形成されている。この樋部２０ｈは、水抜孔２１ｓと取込口２０ｇとの間に位置している。また、樋部２０ｈは、ファンベース２０の表面から凸条の部材で形成されるとともに、正面視において略Ｙ字状に形成されている。また、樋部２０ｈの幅方向（左右方向）の中央は、取込口２０ｇの上端まで延びている。また、ファンベース２０には、樋部２０ｈの下端において、該ファンベース２０を貫通する貫通孔２０ｉが形成されている。
【００６５】
これにより、水抜孔２１ｓから排出された水は、ファンベース２０の表面を伝って落下し、樋部２０ｈで受け止められる。樋部２０ｈで受け止めた水は、樋部２０ｈの傾斜に沿って中央に集まり、貫通孔２０ｉを介してファンベース２０の裏面側に排出される。ファンベース２０の裏側に排出された水は、冷却器９で発生したドレン水と同様にして、樋（とい）９ｃ（図３参照）に一旦落下し、ドレン孔９ｄ（図３参照）を介して圧縮機（不図示）の上部に設けた蒸発皿（不図示）に溜められる。
【００６６】
冷気の流れについて説明すると、冷却器９（図３参照）で生成された冷気は、送風ファン１８によって背面から吸い込まれて、ファンカバー２１の正面部２１ａ（前方）に吐出される。そして、冷気は、ファンカバー２１を通過して、冷気分配部２２ａに導入される。冷気分配部２２ａに導入された冷気は、第１冷気導入路２２ｂと第２冷気導入路２２ｃに分配される。第１冷気導入路２２ｂに導入された冷気は、製氷室４０の後方から製氷室４０内に導入される。
【００６７】
図８に示すように、第２冷気導入路２２ｃに導入された冷気は、切欠部２２ｃ２によって上段冷凍室５０の側面から吐出される。また、上段冷凍室５０の背部には、内箱１１Ａ（１１）の一部が露出している。これにより、上段冷凍室５０の後部に、冷気を吐出させる風路（ダクト）を設ける必要がないので、上段冷凍室５０の内容積を拡大することができる。
【００６８】
また、製氷室４０および上段冷凍室５０を通過した冷気は、下段冷凍室６０（図３参照）を通過し、取込口２０ｇ（図３、図７参照）からファンベース２０内に吸い込まれ（取り込まれ）、再び冷却器９（図３参照）によって冷却される。
【００６９】
以上説明したように、本実施形態の冷蔵庫１００は、冷凍室として、左右に並んで配置される製氷室４０（第１冷凍室）および上段冷凍室５０（第２冷凍室）と、製氷室４０と上段冷凍室５０との間に配置される仕切部材１６と、を備える。冷気供給部材Ｒ（冷気供給路）が、製氷室４０に冷気を導入する第１冷気導入路２２ｂと、上段冷凍室５０に冷気を導入する第２冷気導入路２２ｃと、第１冷気導入路２２ｂと第２冷気導入路２２ｃに冷気を分配する冷気分配部２２ａを、を備える。冷気分配部２２ａ、および第２冷気導入路２２ｃ（第１冷気導入路と第２冷気導入路の少なくとも一方）は、仕切部材１６の前後方向の投影上に位置している。これにより、製氷室４０の背壁に、内箱１１Ｂ，１１（図２参照）を露出させることができ、上段冷凍室５０の背壁に、内箱１１Ａ（１１）を露出させることができた。このように、仕切部材１６の後に冷気分配部２２ａと第２冷気導入路２２ｃを前後方向に重なるように収めたことで、上段冷凍室５０の内容積を拡大することができ、食品収納スペースを拡大することが可能になる。仕切部材１６は、製氷室４０の収納容器や上段冷凍室５０の収容容器をスライドさせるためのレール部材４１ｂ，５１ａが必ず必要になり、デッドスペースが生じるものであった。そのデッドスペースに冷気風路としての冷気分配部２２ａと第２冷気導入路２２ｃとを配置することで、スペースを有効に活用することができるようになった。
【００７０】
また、本実施形態では、冷気分配部２２ａは送風ファン１８の鉛直方向上方の投影上に位置している（図７（ａ）参照）。これにより、送風ファン１８からの冷気を冷気分配部２２ａに円滑に導入できるので、送風効率を向上させることができる。
【００７１】
また、本実施形態では、送風ファン１８を収容するファンカバー２１を備え、ファンカバー２１が冷凍サイクルＦから生成された水を排出する水抜孔２１ｓを有する（図７（ｂ）、（ｃ）参照）。これにより、冷気供給部材Ｒを構成するファンカバー２１内において霜が発生して、霜が溶けて水が発生した場合でも、その水がファンカバー２１内に溜るのを防止することができる。これにより、水が凍ることで、吐出口２１ｈ，２１ｉなどが塞がれ、冷気の吐出が阻害されるのを防止することができる。
【００７２】
また、本実施形態は、水抜孔２１ｓが下段冷凍室６０に収納される下段収納容器６１（ケース）の後端６１ｅよりも後方に位置している（図３参照）。これにより、仮に水抜孔２１ｓから排出された水滴が凝固して氷柱状になったとしても、それが下段収納容器６１内に落下するのを防止することができる。よって、下段収納容器６１内の食品が傷つくのを防止できる。
【００７３】
図９は、冷蔵室と冷凍室に冷却器を備えた冷蔵庫を示す構成図である。
図９に示すように、冷蔵庫１００は、冷凍サイクルとして、冷蔵室３０を冷却する冷却器３１（冷蔵室冷却器）と、冷凍室（製氷室４０、上段冷凍室５０および下段冷凍室６０）を冷却する冷却器９と、を備えている。つまり、冷蔵室３０は、冷却器３１のみによって冷却され、冷凍室は、冷却器９のみによって冷却されるように構成されている。
【００７４】
冷却器３１は、冷却器９よりも小型に形成され、冷蔵室３０の下端の背面に設けられている。また、冷却器３１は、冷蔵庫１００の幅方向の中央よりも右寄りに配置されている。このように、冷蔵室３０用の冷却器３１と、冷凍室用の冷却器９と、を分けることにより、冷却器９を小型（例えば、７段→５段）にすることができる。これにより、冷凍室内の背面における前方への出っ張りの容積を削減することができ、冷凍室内の容積を拡大することが可能になる。
【００７５】
また、冷却器３１の上方には、送風ファン３２が設けられている。冷却器３１および送風ファン３２は、ダクト３３内に収容されている。これにより、冷却器３１で生成された冷気は、送風ファン３２によって上方に運ばれ、ダクト３３に形成された吐出口（不図示）から冷蔵室３０内に吐出される。
【００７６】
また、冷蔵庫１００は、冷蔵室３０と冷凍室とを断熱的に区画する断熱仕切部材１７を備えている。この断熱仕切部材１７は、冷却器３１に付着した霜を溶かして処理するための樋（とい）部１７ａが一体に形成されている。樋部１７ａは、冷媒分配部２２ａの位置から右方向（冷却器３１側）に向けて直線状に傾斜する傾斜面１７ａ１が形成されている。この傾斜面１７ａ１は、右側の側板１ｂの近傍まで延びている。なお、近傍とは、例えば、冷却器３１の右側の端部と上下方向に重なる位置である。また、傾斜面１７ａ１の下端には、ドレン管１７ｂが接続されている。なお、ドレン管１７ｂは、機械室Ｑ（図１参照）まで延びている。このように、ドレン管１７ｂを内箱１１の端部にすることで、傾斜面１７ａ１の傾斜を緩やかにすることができ、冷凍室（製氷室４０および上段冷凍室５０）への樋部１７ａの下方への出っ張りを抑えることができる。よって、冷凍室の庫内容積が大きく削減されるのを抑制できる。また、樋部１７ａを右寄りに配置することで、製氷室４０の庫内奥側の容積を大きく確保することができる。
【００７７】
また、図９に示すように、ファンカバー２１は、野菜室７０に通じるダクト２１ｕが設けられている。このダクト２１ｕは、下段冷凍室６０と野菜室７０とを断熱的に区画する断熱仕切体を貫通して、野菜室７０内に延びている。また、ダクト２１ｕの先端（下端）にはダンパ２１ｘが設けられている。このダンパ２１ｘが開くことで、冷気が野菜室７０内に供給され、ダンパ２１ｘが閉じることで、野菜室７０への冷気の供給が遮断される。なお、野菜室７０に供給された冷気は、図示しない取込口および配管を介して冷却器９に戻るように構成されている。
【００７８】
このように、本実施形態では、冷凍サイクルＦは、冷蔵室３０を冷却する冷却器３１と、冷凍室を冷却する冷却器９と、を備える。冷蔵室３０と冷凍室とが断熱仕切部材１７で仕切られている。断熱仕切部材１７には、冷却器３１からの排水を通流させる樋部１７ａが設けられている。例えば、従来のように、上段冷凍室の後方から冷気を吐出させる構造において、冷蔵室用と冷凍室用にそれぞれ冷却器を分けた場合、冷凍室に樋部１７ａの構造物が突出し、冷気の吐出口がさらに前方に突出することになるとともに風路の構造がさらに複雑になる。しかし、本実施形態のように、仕切部材１６（図８参照）の前後方向の投影上に冷気分配部２２ａおよび第２冷気導入路２２ｃを設けて、上段冷凍室５０の側面から冷気を吐出させることにより、樋部１７ａが設けられたものに対して特に有効である。
【００７９】
以上、本実施形態について図面を参照しながら説明したが、本実施形態は前記の内容に何ら限定されるものではない。したがって、本発明には、様々な変形例が含まれる。すなわち、前記の実施形態は本発明をわかりやすく説明するために詳細に説明したものであり、必ずしも説明したすべての構成を備えるものに限定されるものではない。
【００８０】
例えば、本実施形態では、製氷室４０に導入される冷気を後から、上段冷凍室５０に導入される冷気を横からとしたが、前記とは逆に、製氷室４０に導入される冷気を横から、上段冷凍室５０に導入される冷気を後からとしてもよい。また、製氷室４０と上段冷凍室５０の一方において、冷気が横から突出されるように構成したが、製氷室４０と上段冷凍室５０の両方から冷気吐出させるようにしてもよい。
【００８１】
また、本実施形態では、冷凍室を冷却する冷却器９と、冷蔵室３０を冷却する冷却器３１とを分割して構成した場合を例に挙げて説明したが、従来のように、冷凍室の背面に、冷蔵室３０と冷凍室を冷却する冷却器を設ける構成であってよい。
【符号の説明】
【００８２】
１    冷蔵庫本体（断熱箱体）
９    冷却器（冷凍室冷却器）
１６  仕切部材
１７  断熱仕切部材
１７ａ  樋部
１８  送風ファン
２１  ファンカバー
２１ｓ  水抜孔
２２  冷気導入部材
２２ａ  冷気分配部
２２ｂ  第１冷気導入路
２２ｃ  第２冷気導入路
３０  冷蔵室
３１  冷却器（冷蔵室冷却器）
４０  製氷室（第１冷凍室、冷凍室）
５０  上段冷凍室（第２冷凍室、冷凍室）
６０  下段冷凍室（下部冷凍室、冷凍室）
６１  下段収納容器（ケース）
６１ａ  後端
７０  野菜室
１００  冷蔵庫
Ｆ    冷凍サイクル
Ｒ    冷気供給部材（冷気供給路）
【図１】
2019132467.tif 000003
【図２】
2019132467.tif 000004
【図３】
2019132467.tif 000005
【図４】
2019132467.tif 000006
【図５】
2019132467.tif 000007
【図６】
2019132467.tif 000008
【図７】
2019132467.tif 000009
【図８】
2019132467.tif 000010
【図９】
2019132467.tif 000011